(57)【要約】【課題】作業者の安全性を確保できるとともに鎌から取り外すことができる刃カバーを提供する。【解決手段】伸ばすと鎌５０の刃先を覆うとともに縮ませると鎌５０の刃先を露出させるためのカバー１１と、カバー１１を伸長方向に付勢するための圧縮バネ１６と、手で圧縮バネ１６を縮めてカバー１１を鎌５０の刃先から外すとともに圧縮バネ１６を縮めたままとするための手動ロック手段として機能するスライド板１９およびハジキ２０と、鎌５０の柄部５１に締め付けて刃カバー１０を鎌５０に取り付けるための２本の取付バンド２１と、カバー１１の先端部の内周面の鎌５０の刃先側に取り付けられた磁石２２と、磁石２２の上に取り付けられるとともに上面に断面形状が逆三角形状の溝が形成された砥石２３とを具備する。【選択図】図１
2017158514.tif 000002
【特許請求の範囲】
【請求項１】
柄部（５１）および刃部（５２）を備えた鎌（５０）に用いる刃カバー（１０；３０）であって、
伸ばすと前記鎌の刃先を覆うとともに縮ませると該鎌の刃先を露出させるためのカバー（１１；３１）と、
該カバーを伸長方向に付勢するための圧縮バネ（１６；３４）と、
手で前記圧縮バネを縮めて前記カバーを前記鎌の刃先から外すとともに該圧縮バネを縮めたままとするための手動ロック手段（１９，２０；３７）と、
前記鎌の前記柄部に締め付けて前記刃カバーを該鎌に取り付けるための取付バンド（２１；４１）と、
を具備することを特徴とする、刃カバー。
【請求項２】
前記カバーの先端部の内周面に取り付けられた磁石（２２；４２）と、
該磁石の上に取り付けられた、かつ、上面に断面形状が逆三角形状の溝が形成された砥石（２３；４３）とをさらに具備し、
前記鎌の前記刃部を前記磁石で引き寄せるともに該鎌の刃先を前記砥石の溝と接触させて、前記カバーを伸縮させる際に該鎌の刃先を該砥石で研げるようにした、
ことを特徴とする、請求項１記載の刃カバー。
【請求項３】
前記カバー（１１）の先端部に取り付けられた固定板（１４）と、
該固定板に端面が固定された、かつ、前記鎌の前記刃部の背に沿って湾曲可能な支持板（１５）と、
該支持板を収容可能な支持板収容管（１８）と、
該支持板収容管の軸方向に沿ってスライド可能に該支持板収容管に取り付けられた、かつ、前記手動ロック手段として機能するスライド板（１９）と、
前記支持板収容管と並設された、かつ、前記圧縮バネ（１６）が収容されたバネ収容管（１７）と、
前記支持板収容管に取り付けられた、かつ、前記手動ロック手段として機能するハジキ（２０）とを備え、
前記支持板収容管の前記バネ収容管側に該支持板収容管の軸方向に沿ってスライド溝が形成されており、
前記スライド板が、前記支持板収容管を貫通させるための馬蹄状貫通孔が形成された右側部材と、該右側部材から前記バネ収容管側に突設された左側部材とからなり、
前記バネ収容管の前記支持板収容管側に、前記スライド板の前記左側部材を貫通させるための貫通孔が該支持板収容管の前記スライド溝と互いに対向するように形成されており、
前記支持板の他の端面が、前記スライド板の前記右側部材の上面の前記馬蹄状貫通孔よりも内側に固定されており、
前記ハジキが、前記支持板収容管の下端部の前記バネ収容管と反対側に取り付けられており、
前記圧縮バネが、上端が前記スライド板の前記左側部材の下面に固定されているとともに下端が前記バネ収容管の下端部に固定されており、
２本の前記取付バンド（２１）が、前記バネ収容管の上端部および下端部にそれぞれ取り付けられている、
ことを特徴とする、請求項１または２記載の刃カバー。
【請求項４】
前記カバー（３１）の先端部に取り付けられた上側バネ固定板（３５）と、
下側バネ固定板（３６）と、
前記上側バネ固定板に取り付けられた、かつ、前記手動ロック手段として機能するフック（３７）とを備え、
前記取付バンド（４１）が、１本であり、
前記下側バネ固定板（３６）が、前記取付バンド（４１）に取り付けられており、
前記圧縮バネ（３４）の両端が前記上側バネ固定板および前記下側バネ固定板にそれぞれ固定されており、
前記フックが前記下側バネ固定板に引っ掛けられると、前記圧縮バネが縮められたままとされ、
前記フックが前記下側バネ固定板から外されると、前記圧縮バネが前記鎌の前記刃部の背に沿って伸びるようにされている、
ことを特徴とする、請求項１または２記載の刃カバー。
【発明の詳細な説明】
【技術分野】
【０００１】
本発明は、鎌に取り付けるのに好適な刃カバーに関する。
【背景技術】
【０００２】
従来、鎌５０（図１（ａ）参照）の運搬時には安全性を確保するために略三日月状の刃部５２に布製のカバーを装着し、鎌５０の使用時にカバーを外している。
【０００３】
なお、本出願人は、下記の特許文献１において、鎌の使用中に作業者が誤って転倒して柄部から手を離した際に刃先が身体に当たって傷付くのを効果的に抑制するために、柄部から手を離すとバネの付勢力によってカバーを自動的に伸長させて刃先を覆うことができるようにした鎌の刃カバーを提案している。
【先行技術文献】
【特許文献】
【０００４】
【特許文献１】特開２０１３−１２３３９６号公報
【発明の概要】
【発明が解決しようとする課題】
【０００５】
しかしながら、従来の鎌へのカバーの装着方法には、以下に示すような問題があった。
（１）作業者はカバーの着脱を手で行っているため、刃先で手を切創する危険性があった。
（２）山中で鎌５０を使用する場合には使用および運搬を頻繁に繰り返すが、カバーの着脱が困難であるため、作業者がカバーを装着しないで鎌５０を運搬してしまい刃先で手を切創する危険性があった。
【０００６】
また、上記の特許文献１で提案した鎌の刃カバーは、作業者が誤って転倒して柄部から手を離しても刃先が身体に当たって傷付くのを抑制するには効果的であるが、カバーを伸長方向に付勢する付勢手段の付勢力に抗して収縮状態にロックするとともに圧力検出手段によって検出された柄部の把持圧が所定値以下になるとロックを解除するロック機構を柄部に設けて、圧力検出手段によって検出された把持圧が所定値以下になるとロックを解除してカバーで刃先を覆うようにしたものであるため、圧力検出手段が必要であるという問題があるとともに、鎌と一体化されているため、鎌から取り外すことができないという問題がある。
【０００７】
本発明の目的は、作業者の安全性を確保できるとともに鎌から取り外すことができる刃カバーを提供することにある。
【課題を解決するための手段】
【０００８】
本発明の刃カバーは、柄部（５１）および刃部（５２）を備えた鎌（５０）に用いる刃カバー（１０；３０）であって、伸ばすと前記鎌の刃先を覆うとともに縮ませると該鎌の刃先を露出させるためのカバー（１１；３１）と、該カバーを伸長方向に付勢するための圧縮バネ（１６；３４）と、手で前記圧縮バネを縮めて前記カバーを前記鎌の刃先から外すとともに該圧縮バネを縮めたままとするための手動ロック手段（１９，２０；３７）と、前記鎌の前記柄部に締め付けて前記刃カバーを該鎌に取り付けるための取付バンド（２１；４１）とを具備することを特徴とする。
ここで、前記カバーの先端部の内周面に取り付けられた磁石（２２；４２）と、該磁石の上に取り付けられた、かつ、上面に断面形状が逆三角形状の溝が形成された砥石（２３；４３）とをさらに具備し、前記鎌の前記刃部を前記磁石で引き寄せるともに該鎌の刃先を前記砥石の溝と接触させて、前記カバーを伸縮させる際に該鎌の刃先を該砥石で研げるようにしてもよい。
前記カバー（１１）の先端部に取り付けられた固定板（１４）と、該固定板に端面が固定された、かつ、前記鎌の前記刃部の背に沿って湾曲可能な支持板（１５）と、該支持板を収容可能な支持板収容管（１８）と、該支持板収容管の軸方向に沿ってスライド可能に該支持板収容管に取り付けられた、かつ、前記手動ロック手段として機能するスライド板（１９）と、前記支持板収容管と並設された、かつ、前記圧縮バネ（１６）が収容されたバネ収容管（１７）と、前記支持板収容管に取り付けられた、かつ、前記手動ロック手段として機能するハジキ（２０）とを備え、前記支持板収容管の前記バネ収容管側に該支持板収容管の軸方向に沿ってスライド溝が形成されており、前記スライド板が、前記支持板収容管を貫通させるための馬蹄状貫通孔が形成された右側部材と、該右側部材から前記バネ収容管側に突設された左側部材とからなり、前記バネ収容管の前記支持板収容管側に、前記スライド板の前記左側部材を貫通させるための貫通孔が該支持板収容管の前記スライド溝と互いに対向するように形成されており、前記支持板の他の端面が、前記スライド板の前記右側部材の上面の前記馬蹄状貫通孔よりも内側に固定されており、前記ハジキが、前記支持板収容管の下端部の前記バネ収容管と反対側に取り付けられており、前記圧縮バネが、上端が前記スライド板の前記左側部材の下面に固定されているとともに下端が前記バネ収容管の下端部に固定されており、２本の前記取付バンド（２１）が、前記バネ収容管の上端部および下端部にそれぞれ取り付けられていてもよい。
前記カバー（３１）の先端部に取り付けられた上側バネ固定板（３５）と、下側バネ固定板（３６）と、前記上側バネ固定板に取り付けられた、かつ、前記手動ロック手段として機能するフック（３７）とを備え、前記取付バンド（４１）が、１本であり、前記下側バネ固定板（３６）が、前記取付バンド（４１）に取り付けられており、前記圧縮バネ（３４）の両端が前記上側バネ固定板および前記下側バネ固定板にそれぞれ固定されており、前記フックが前記下側バネ固定板に引っ掛けられると、前記圧縮バネが縮められたままとされ、前記フックが前記下側バネ固定板から外されると、前記圧縮バネが前記鎌の前記刃部の背に沿って伸びるようにされてもよい。
【発明の効果】
【０００９】
本発明の刃カバーは、以下に示す効果を奏する。
（１）刃先付近に手をおくことなくワンタッチで装着できるため、作業者の安全性を確保できるとともに、取付バンドで鎌に取り付けるため、鎌から取り外すことができる。
（２）山中のように鎌の使用および運搬を頻繁に繰り返す状況であってもカバーの着脱が容易であるため、作業者の安全性を確保することができる。
（３）刃先を磁石で引き寄せて砥石に接触させることにより、カバーの着脱時に刃先を研ぐことができる。
（４）鎌の刃部の形状を選ばないため、多様な鎌に使用することができる。
【図面の簡単な説明】
【００１０】
【図１】本発明の第１の実施例による刃カバー１０について説明するための図であり、（ａ）はカバー１１を装着した状態を示す正面図であり、（ｂ）はカバー１１を外した状態を示す正面図であり、（ｃ）は磁石２１および砥石２２について説明するための断面図である。
【図２】本発明の第２の実施例による刃カバー３０について説明するための図であり、（ａ）はカバー３１を装着した状態を示す正面図であり、（ｂ）はカバー３１を外した状態を示す正面図である。
【発明を実施するための形態】
【００１１】
上記の目的を、ワンタッチで圧縮バネを伸ばしてカバーを装着させるとともに、取付バンドで鎌に取り付けられるようにすることにより実現した。
【実施例１】
【００１２】
以下、本発明の刃カバーの実施例について図面を参照して説明する。
本発明の第１の実施例による刃カバー１０は、図１（ａ），（ｂ）に示すように、布製の楕円筒状のカバー１１と、複数個の内側リング１２と、複数個の外側リング１３と、矩形板状の固定板１４と、矩形板状の支持板１５と、圧縮バネ１６と、円筒状のバネ収容管１７と、円筒状の支持板収容管１８と、スライド板１９と、ハジキ２０（切り鍵）と、２本の取付バンド２１と、矩形板状の磁石２２と、矩形板状の砥石２３とを具備する。
なお、以下の説明では、同図に示すように鎌５０の刃部５１の切っ先（先端）が左を向くように鎌５０を置いた状態を鎌５０および刃カバー１０の正面とする。
【００１３】
ここで、カバー１１は、耐切創生地からなり、伸ばすと鎌５０の刃先を覆うことができるとともに縮めると鎌５０の刃先を露出させることができる長さおよび厚さとされている。
【００１４】
複数個の内側リング１２は、カバー１１をスムーズに伸縮させられるように、カバー１１の内周面に間隔をもって取り付けられている。
なお、複数個の内側リング１２の代わりに、１本のコイルバネをカバー１１の内周面に取り付けてもよい。
【００１５】
複数個の外側リング１３は、カバー１１を装着した状態（すなわち、図１（ａ）に示すように鎌５０の刃先をカバー１１で覆った状態）では鎌５０の刃部５２の背側（以下、「鎌刃部背側」と称する。）で内側リング１２と接するように、また、開口面が内側リング１２の開口面と同じ方向を向くように、カバー１１の外周面に取り付けられている。
外側リング１３の内径は、支持板１５が貫通できる大きさとされている。
【００１６】
固定板１４は、カバー１１を装着した状態では鎌刃部背側になるように、カバー１１の先端部の外周面に取り付けられている。
【００１７】
支持板１５は、複数個の外側リング１３を貫通しており、カバー１１を装着した状態では刃部５２の背に沿って湾曲するように、例えば薄い鋼板からなる。
支持板１５の一端面（カバー１１の先端部側の端面）は、固定板１４の右側面に固定されている。
【００１８】
支持板収容管１８は、上端部および下端部がバネ収容管１７の上端部および下端部と２つの連結部材を介して連結されて、バネ収容管１７の右側（取付バンド２１と反対側）に取り付けられている。
支持板収容管１８の内径は、カバー１１を外した状態（すなわち、図１（ｂ）に示すように鎌５０の刃先を露出させた状態）では支持板１５の他端部側を支持板収容管１８内に収容できる大きさとされている。
支持板収容管１８の左側（バネ収容管１７側）には、スライド板１９が支持板収容管１８の軸方向に沿ってスライド可能なように、スライド溝が形成されている。
【００１９】
スライド板１９は、支持板１５の他端部側を支持板収容管１８内に収容できるとともに圧縮バネ１６をバネ収容管１７の軸方向に沿って伸縮させられるように、支持板収容管１８の軸方向に沿ってスライド可能に支持板収容管１８に取り付けられている。
そのため、スライド板１９は、円板状の右側部材と、右側部材から左側（バネ収容管１７側）に突設された矩形板状の左側部材からなる。
また、スライド板１９の右側部材には、支持板収容管１８を貫通させるための馬蹄状貫通孔（支持板収容管１８のスライド溝の部分には形成されていない。）が形成されている。
さらに、スライド板１９の右側部材の上面の馬蹄状貫通孔よりも内側には、支持板１５の他端面が固定されている。
【００２０】
圧縮バネ１６は、上端がスライド板１９の左側部材の下面に固定されているとともに、下端がバネ収容管１７の下端部にバネ固定板を介して固定されている。
【００２１】
バネ収容管１７は、支持板収容管１８の長さと同じ長さとされており、上端面および下端面が支持板収容管１８の上端面および下端面と同一平面上に位置するようにされている。
バネ収容管１７の右側（支持板収容管１８側）には、スライド板１９の左側部材を貫通させるための貫通孔が、支持板収容管１８のスライド溝と互いに対向するように形成されている。
【００２２】
ハジキ２０は、図１（ｂ）に示すように圧縮バネ１６を収縮状態にロックしてスライド板１９を引き下げた状態に保持するためのものであり、傘でよく使われているバネの弾発力によって突出可能なように支持板収容管１８の下端部の左側（バネ収容管１７と反対側）に取り付けられている。
また、ハジキ２０は、支持板収容管１８内に引っ込んだ際には支持板１５と干渉しない大きさにされている。
【００２３】
２本の取付バンド２１は、刃カバー１０を鎌５０に取り付けるためのものであり、ステンレス鋼材からなり、バネ収容管１７を鎌５０の柄部５１の上端部の左側（刃部５２の切っ先と反対側）に当接させて取り付けられるように、バネ収容管１７の上端部および下端部の右側（支持板収容管１８と反対側）にそれぞれ取り付けられている。
これにより、刃部５１が折れたりして鎌５０が使えなくなった場合には、刃カバー１０を鎌５０から取り外して他の鎌に取り付けることができる。
【００２４】
磁石２２は、カバー１１を装着した状態では鎌５０の刃先側になるように、カバー１１の先端部の内周面に取り付けられている。
砥石２３は、セラミック砥石等からなり、磁石２２の上に取り付けられている。
また、砥石２３は、図１（ｃ）に示すように上面の中央部に断面形状が逆三角形状の溝が左側面から右側面まで形成されている。
これにより、鎌５０の刃部５１を磁石２２で引き寄せることができるため、カバー１１の装着時および取外し時に鎌５０の刃先および背をカバー１１に接触させることなく支持板１５を刃部５１の背に沿って移動させることができるとともに、鎌５０の刃先を砥石２３の溝と接触させることができるため、刃先を砥石２３で研ぐことができる。
【００２５】
次に、刃カバー１０の使用方法について説明する。
作業員は、スライド板１９を引き下げてハジキ２０で圧縮バネ１６が伸びないようにロックし、縮んだカバー１１に鎌５０の刃部５１を貫通させたのち、バネ収容管１７が鎌５０の刃先と反対側になるように２本の取付バンド２１を鎌５０の柄部５１に締め付けて、刃カバー１０を鎌５０に取り付ける。
【００２６】
カバー１１を装着する際には、作業員は、ハジキ２０の右側面を押してハジキ２０を支持板収容管１８内に引っ込ませる。
これにより、スライド板１９は圧縮バネ１６の付勢力によって引き上げられる結果、支持板１５がスライド板１９によって引き上げられ、支持板１５が鎌５０の背に沿って湾曲しながら鎌５０の刃部５１の切っ先に向って移動するため、ワンタッチでカバー１１を伸ばして鎌５０の刃先を覆わせることができる。
このとき、鎌５０の刃先は、カバー１１の先端部の移動に伴って砥石２３で研かれる。
【００２７】
カバー１１を外す際には、作業員は、スライド板１９をつまんでハジキ２０よりも下まで引き下げる。
これにより、支持板１５がスライド板１９と共に引き下げられるため、支持板１５が鎌５０の背に沿って湾曲しながら鎌５０の柄部５１に向って移動するとともに支持板１５の他端面側が支持板収容管１８内に収容されるため、カバー１１を縮めて鎌５０の刃先を露出させることができる。
このとき、ハジキ２０はスライド板１９によって左方向に押されて支持板収容管１８内に引っ込んだのちスライド板１９が通過すると支持板収容管１８から飛び出すため、スライド板１９を圧縮バネ１６の付勢力によって上方向に移動できないようにできるので、カバー１１を外したままとすることができる。
また、鎌５０の刃先は、カバー１１の先端部の移動に伴って砥石２３で研かれる。
【実施例２】
【００２８】
次に、本発明の第２の実施例による刃カバー３０について、図２（ａ），（ｂ）を参照して説明する。
本実施例による刃カバー３０は、楕円筒状のカバー３１と、複数個の内側リング３２と、複数個の外側リング３３と、圧縮バネ３４と、矩形板状の上側バネ固定板３５と、矩形板状の下側バネ固定板３６と、フック３７と、１本の取付バンド４１と、矩形板状の磁石４２と、矩形板状の砥石４３とを具備する。
なお、以下の説明では、同図に示すように鎌５０の刃部５１の切っ先が左を向くように鎌５０を置いた状態を鎌５０および刃カバー３０の正面とする。
【００２９】
ここで、カバー３１は、図１（ａ）に示したカバー１１と同様に、耐切創生地からなり、伸ばすと鎌５０の刃先を覆うことができるとともに縮めると鎌５０の刃先を露出させることができる長さおよび厚さとされている。
【００３０】
複数個の内側リング３２は、図１（ａ）に示した内側リング１２と同様に、カバー３１をスムーズに伸縮させられるように、カバー３１の内周面に間隔をもって取り付けられている。
なお、複数個の内側リング３２の代わりに、１本のコイルバネをカバー３１の内周面に取り付けてもよい。
【００３１】
複数個の外側リング３３は、図１（ａ）に示した外側リング１３と同様に、カバー３１を装着した状態（すなわち、図２（ａ）に示すように鎌５０の刃先をカバー３１で覆った状態）では鎌刃部背側（鎌５０の刃部５２の背側）で内側リング３２と接するように、また、開口面が内側リング３２の開口面と同じ方向を向くように、カバー３１の外周面に取り付けられている。
外側リング３３の内径は、圧縮バネ３４が貫通できる大きさとされている。
【００３２】
上側バネ固定板３５は、カバー３１を装着した状態では鎌刃部背側に位置するように、カバー３１の先端部の外周面に取り付けられている。
【００３３】
下側バネ固定板３６は、カバー３１を縮めた状態（すなわち、図２（ｂ）に示すように鎌５０の刃先を露出させた状態）では上側バネ固定板３５と互いに対向するように、取付バンド４１の外周面に取り付けられている。
【００３４】
圧縮バネ３４は、複数個の外側リング３３を貫通しており、一端が上側バネ固定板３５の下面に固定されているとともに、他端が下側バネ固定板３６の上面に固定されている。
【００３５】
フック３７は、上側バネ固定板３５に回転可能に取り付けられている。
また、フック３７は、図２（ｂ）に示すようにカバー３１を外した状態では下側バネ固定板３６の下面に引っ掛けられる長さとされている。
【００３６】
１本の取付バンド４１は、刃カバー３０を鎌５０に取り付けるためのものであり、ステンレス鋼材からなる。
これにより、刃部５１が折れたりして鎌５０が使えなくなった場合には、刃カバー３０を鎌５０から取り外して他の鎌に取り付けることができる。
【００３７】
磁石４２は、図１（ａ）に示した磁石２２と同様に、カバー３１を装着した状態では鎌５０の刃先側になるように、カバー３１の先端部の内周面に取り付けられている。
砥石４３は、図１（ａ）に示した砥石２３と同様に、セラミック砥石等からなり、磁石４２の上に取り付けられているとともに、上面の中央部に断面形状が逆三角形状の溝が左側面から右側面まで形成されている（図１（ｃ）参照）。
これにより、鎌５０の刃部５１を磁石４２で引き寄せることができるため、カバー３１の装着時および取外し時に鎌５０の刃先および背をカバー３１に接触させることなく圧縮バネ３４を刃部５１の背に沿って移動させることができるとともに、鎌５０の刃先を砥石４３の溝と接触させることができるため、刃先を砥石４３で研ぐことができる。
【００３８】
次に、刃カバー３の使用方法について説明する。
作業員は、フック３７をつまんで引き下げて下側バネ固定板３６の下面にフック３７を引っ掛けて圧縮バネ３４が伸びないようにロックし、縮んだカバー３１に鎌５０の刃部５１を貫通させたのち、下側バネ固定板３６が刃部５２の切っ先と反対側になるように取付バンド４１で刃カバー３０を鎌５０に取り付ける。
【００３９】
カバー３１を装着する際には、作業員は、フック３７をつまんで下側バネ固定板３６の下面から外す。
これにより、上側バネ固定板３５が圧縮バネ３４の付勢力によって引き上げられる結果、圧縮バネ３４の一端が上側バネ固定板３５によって引っ張られ、圧縮バネ３４が鎌５０の背に沿って鎌５０の刃部５１の切っ先に向って伸ばされるため、ワンタッチでカバー３１を伸ばして鎌５０の刃先を覆わせることができる。
このとき、鎌５０の刃先は、カバー３１の先端部の移動に伴って砥石４３で研かれる。
【００４０】
カバー３１を外す際には、作業員は、フック３７をつまんで下側バネ固定板３６の下面にフック３７を引っ掛けられる位置まで引き下げる。
これにより、圧縮バネ３４の一端が上側バネ固定板３５によって押され、圧縮バネ３４が鎌５０の背に沿って下側バネ固定板３６に向かって縮められるため、カバー３１を縮ませて鎌５０の刃先を露出させることができる。
このとき、鎌５０の刃先は、カバー３１の先端部の移動に伴って磁石４２で研かれる。
【符号の説明】
【００４１】
１０，３０  刃カバー
１１，３１  カバー
１２，３２  内側リング
１３，３３  外側リング
１４  固定板
１５  支持板
１６，３４  圧縮バネ
１７  バネ収容管
１８  支持板収容管
１９  スライド板
２０  ハジキ
２１，４１  取付バンド
２２，４２  磁石
２３，４３  砥石
３５  上側バネ固定板
３６  下側バネ固定板
３７  フック
５０  鎌
５１  柄部
５２  刃部
【図１】
2017158514.tif 000003
【図２】
2017158514.tif 000004